(57)【要約】  調整可能な幅を有する履物製品が開示される。履物製品は、下側ソールと上側ソールとを含み得る。下側ソールおよび上側ソールは、拡大と収縮を可能にする溝を有し得る。履物製品はまた、幅調整アセンブリを含み得る。幅調整アセンブリは、送りねじと、履物製品の外側から着用者がアクセス可能な調整装置と、作動ストラップと、作動ストラップに接続されたアンカープレートとを有し得る。調整装置の回転により、送りねじを回転させることができ、そうすることによって作動ストラップ内の張力を変化させることができる。作動ストラップ内の張力の変化により、履物製品の前方部分の幅を調整することができる。
2019500159.tif 000002
【特許請求の範囲】
【請求項１】
履物製品であって、
複数の溝を含むソールと、
幅調整アセンブリとを備え、
前記幅調整アセンブリは、
送りねじと、
前記送りねじに接続されており着用者が前記履物製品の外側からアクセス可能な調整装置と、
前記送りねじに接続されており前記送りねじの回転に応じて移動可能な作動ストラップと、
前記作動ストラップに接続されたアンカープレートとを含み、
前記調整装置が回転することにより前記送りねじが回転し、前記送りねじが回転することにより前記作動ストラップ内の張力および／または圧縮力が変化する、履物製品。
【請求項２】
前記ソールは上側ソールと下側ソールとをさらに含み、前記幅調整アセンブリは前記上側ソールの部分と前記下側ソールの部分との間に位置する、請求項１に記載の履物製品。
【請求項３】
前記幅調整アセンブリは、前記履物製品に沿う、着用者の足の前方部分に対応する位置に概ね位置する、請求項１に記載の履物製品。
【請求項４】
前記幅調整アセンブリは調整装置ハウジングをさらに含む、請求項１に記載の履物製品。
【請求項５】
前記調整装置は、収容位置と展開位置とを有する調整パドルを含み、前記調整パドルは、前記収容位置において前記調整パドルハウジング内にあり、前記展開位置において前記調整パドルハウジングから突出している、請求項４に記載の履物製品。
【請求項６】
前記調整パドルは、前記展開位置において回転可能であり、前記収容位置において回転不能である、請求項５に記載の履物製品。
【請求項７】
前記アンカープレートは前記履物製品のインステップ部分に位置し、前記調整装置は前記履物製品のアウトステップ部分に位置する、請求項１に記載の履物製品。
【請求項８】
前記送りねじが第１の方向に回転すると、前記作動ストラップは前記アンカープレートを前記履物製品の前記アウトステップ部分に向けて移動させ、前記送りねじが第２の方向に回転すると、前記作動ストラップは前記アンカープレートを前記履物製品の前記アウトステップ部分から遠ざかるように移動させる、請求項７に記載の履物製品。
【請求項９】
前記ソールは１つ以上の溝をさらに含み、前記アンカープレートが前記アウトステップ部分に向かって移動することにより、前記１つ以上の溝は圧縮され、前記アンカープレートが前記アウトステップ部分から遠ざかるように移動することにより、前記１つ以上の溝は拡大される、請求項８に記載の履物製品。
【請求項１０】
作動ストラップはナットを介して前記送りねじに接続されており、前記ナットは前記作動ストラップに装着されかつ前記送りねじに通されている、請求項１に記載の履物製品。
【請求項１１】
運動靴であって、
第１の複数の溝を含む下側ソールと、
第２の複数の溝を含む上側ソールと、
幅調整アセンブリとを備え、
前記幅調整アセンブリは、
送りねじと、
前記送りねじに接続されており着用者が前記運動靴の外側からアクセス可能な調整パドルと、
前記送りねじに接続されており前記送りねじの回転に応じて移動可能な作動ストラップと、
前記作動ストラップに接続されたアンカープレートとを含み、
前記調整パドルが回転することにより前記送りねじが回転し、前記送りねじが第１の方向に回転することにより前記作動ストラップにおける張力が増して前記第１および第２の複数の溝を圧縮する、運動靴。
【請求項１２】
前記幅調整アセンブリは前記上側ソールの部分と前記下側ソールの部分との間に位置する、請求項１１に記載の運動靴。
【請求項１３】
前記幅調整アセンブリは、前記運動靴に沿う、着用者の足の前方部分に対応する位置に概ね位置する、請求項１１に記載の運動靴。
【請求項１４】
前記幅調整アセンブリは調整パドルハウジングをさらに含む、請求項１１に記載の運動靴。
【請求項１５】
前記調整パドルは収容位置と展開位置とを有し、前記調整パドルは、前記収容位置において前記調整パドルハウジング内にあり、前記展開位置において前記調整パドルハウジングから突出している、請求項１４に記載の運動靴。
【請求項１６】
前記調整パドルは、前記展開位置において回転可能であり、前記収容位置において回転不能である、請求項１５に記載の運動靴。
【請求項１７】
前記アンカープレートは前記運動靴のインステップ部分に位置し、前記調整パドルは前記運動靴のアウトステップ部分に位置する、請求項１１に記載の運動靴。
【請求項１８】
前記送りねじが前記第１の方向に回転すると、前記作動ストラップは前記アンカープレートを前記運動靴の前記アウトステップ部分に向けて移動させる、請求項１７に記載の運動靴。
【請求項１９】
作動ストラップはナットを介して前記送りねじに接続されており、前記ナットは前記作動ストラップに装着されかつ前記送りねじに通されている、請求項１１に記載の運動靴。
【請求項２０】
運動靴であって、
ソールと、
少なくとも一部が前記ソールの内部に配置された幅調整機構とを備え、前記幅調整機構は、前記幅調整機構の調整に応じて互いに向けて引張られることにより前記運動靴の幅を調整することができる２つのアンカーを含む、運動靴。
【請求項２１】
前記２つのアンカーは可撓性の作動ストラップにより接続されている、請求項２０に記載の運動靴。
【請求項２２】
前記可撓性の作動ストラップは、送りねじの回転により、伸張または後退させることができる、請求項２１に記載の運動靴。
【請求項２３】
前記可撓性の作動ストラップは、スプールを回して前記ストラップを巻くことにより、後退させることができる、請求項２１に記載の運動靴。
【発明の詳細な説明】
【技術分野】
【０００１】
本発明は、概して調整可能な幅を有する履物製品に関し、より具体的にはその前方部分の幅を着用者が変更することができる履物製品に関する。
【背景技術】
【０００２】
運動靴のような履物製品のフィット性は、着用者のパフォーマンスおよび／または履き心地にとって重要であることが多い。大抵の履物は、不連続な数値のサイズで販売されており、各サイズには固有の長さと幅がある。一般的に、このような方式が提供する多様性は、ほとんどの人々にとって、大きな不快感なく着用するのに足りるフィット性のあるサイズを発見するには十分であるが、長さおよび幅は不連続なサイズに不可分に関係しているので、人によっては最もフィットするサイズであっても自身の足には広すぎるまたは狭すぎる場合がある。
【０００３】
加えて、着用者が時間によって幅がより広いまたは狭いことを希望する要因が数多くある。たとえば、人の足のサイズは、１日のうちの時間帯、温度、または健康状態等の多数の要因に応じて変化することが知られている。人の足のサイズの実際の変化以外にも、所望のフィット性に影響する要因があり、それは、着用している靴下、足もしくは足首上の装具もしくはサポーター、および／または状況によって異なるフィット性を求める個人的な好み等である。たとえば、運動選手の中には、試合、競技、またはレース中には準備運動のような競技以外の活動時に望むフィット性よりもタイトなフィット性を好む者がいる。これらすべての理由等が、着用者が自身の要望に合うように幅を調整できる履物製品を提供する必要があることを、証明している。
【発明の概要】
【発明が解決しようとする課題】
【０００４】
この必要に応えようとする過去の試みの成功には限界があった。以前、ポンプ、交換可能な中敷、または締め紐／ストラップ方式等の機構が採用されて一定レベルの調整機能は提供していた。これらの機構は各々欠陥がある。これらの欠陥のうちのいくつかは、耐久性、調整のし易さ、履き心地、および調整範囲のうちの１つ以上における欠陥である可能性がある。運動靴の場合、これらの分野のうちの１つ以上に欠陥があると、着用者は、パフォーマンスの低下、履き心地の低下、または靴の耐用年数の短縮に直面することになり得る。
【０００５】
したがって、必要なのは、靴の幅等の寸法を着用者が改善されたやり方で調整できる履物製品である。この製品は、製品の履き心地および耐久性を保ちつつ簡単かつ確実な調整を提供する必要がある。本発明の実施形態が主に対象としているのはこのような履物製品である。
【課題を解決するための手段】
【０００６】
本開示の実施形態は、調整可能な幅を有する履物製品に関する。いくつかの実施形態において、この履物製品は、ソールと幅調整アセンブリとを含み得る。幅の調整を提供するために、ソールは、その上側部分および下側部分において溝を含んでいてもよい。ソールの材料を圧縮しようとするのではなく、溝によって必要な動きを可能にする。
【０００７】
本開示に従う幅調整アセンブリは、調整装置に接続された送りねじを含み得る。調整装置は、ソールから突出しているので、着用者は履物製品の外側からアクセスすることができる。幅調整アセンブリはまた、作動ストラップを含み得る。作動ストラップは、送りねじが回転するとそれに対応して作動ストラップが動くように、送りねじに接続される。作動ストラップは、ソールに接続されたアンカープレートに接続することができる。
【０００８】
いくつかの実施形態において、ソールは上側ソールと下側ソールとを含み得る。幅調整アセンブリは上側ソールと下側ソールとの間に位置する。幅調整アセンブリは概ねソールの前方部分のあたりに位置しており、このアセンブリの構成部品は調整装置ハウジングの中にあってもよい。調整装置は、調整パドルであってもよく、収容位置と展開位置とを有し得る。収容位置において、パドルは調整装置ハウジングの中にある。展開位置において、パドルはこのハウジングから突出している。調整パドルは、収容位置では回転不能であってもよく、展開位置では着用者によって回転可能であってもよい。
【０００９】
アンカープレートは、履物製品のインステップ（instep）部分に位置していてもよく、調整装置は、履物製品のアウトステップ（outstep）部分に位置していてもよい。送りねじが回転すると、作動ストラップは、アンカープレートを履物製品のアウトステップ部分に向けて移動させることができる。いくつかの実施形態において、作動ストラップは、送りねじに装着されたナットを介して送りねじに接続することができる。送りねじが回転すると、ナットは直線的に移動して作動ストラップを引くまたは押すことができる。
【発明の効果】
【００１０】
本発明の上記およびその他の目的、特徴、および利点は、以下の明細書を添付の図面と関連させて読むと、より明らかになるであろう。
【図面の簡単な説明】
【００１１】
【図１−１】本開示のいくつかの実施形態に係る、調整可能な幅を有する履物製品の上側ソール部分および下側ソール部分の斜視図を示す。
【図２−１】図１の調整可能な幅を有する履物製品のソール部分の底面図を示す。
【図１−２】図１−１の代替実施形態の斜視図を示す。
【図２−２】図１−２の調整可能な幅を有する履物製品のソール部分の底面図を示す。
【図３Ａ】図１の調整可能な幅を有する履物製品のアウトステップ部分の側面図を示す。
【図３Ｂ】図３Ａに示される一点鎖線の円内の領域の拡大側面図を示す。
【図４−１】本開示の一実施形態に係る幅調整機構の上面図を示す。
【図４−２】図４−１の代替実施形態の上面図を示す。
【図５】本開示の一実施形態に係る幅調整機構の底面斜視図を示す。
【図６】ハウジング部分を取外した状態の図５の幅調整機構の斜視図を示す。
【図７Ａ−１】最大幅の位置にあるときの図１−１の履物製品の線７−７に沿う断面図を示す。
【図７Ｂ−１】図７Ａ−１よりも幅が細い位置にあるときの図１−１の履物製品の線７−７に沿う断面図を示す。
【図７Ａ−２】最大幅の位置にあるときの図１−２の履物製品の線７−７に沿う断面図を示す。
【図７Ｂ−２】図７Ａ−２よりも幅が細い位置にあるときの図１−２の履物製品の線７−７に沿う断面図を示す。
【発明を実施するための形態】
【００１２】
本発明の実施形態は、概して履物製品に関し、より具体的には幅調整機構を備えた履物製品に関する。いくつかの実施形態において、履物製品の幅は、この履物製品のアウトソールに位置する調整装置を操作することによって調整できる。調整装置は、選択的に圧縮されるソールの溝を提供する幅調整アセンブリの一部であってもよい。いくつかの実施形態において、ユーザは、調整装置を回転させ、送りねじによって、履物製品において反対側にあるアンカーを、調整装置に向けて引張る。こうすることで、履物製品の幅を変えることができる。
【００１３】
説明を簡潔かつ明確にするために、本明細書では本発明を幅調整機能を有する運動靴として説明する。しかしながら、本発明はそのように限定されないことを当業者は理解するであろう。
【００１４】
本発明のさまざまな要素を構成するものとして以下で説明する材料は、例示を意図しているのであって限定を意図しているのではない。本明細書に記載の材料と同一または同様の機能を果たすであろう多数の材料が本発明の範囲に包含されることを意図している。このような本明細書に記載されていない他の材料は、限定される訳ではないが、本発明の開発の時点よりも後に開発された材料を含み得る。
【００１５】
上述のように、従来の履物における一般的な問題は、履物が不連続な数値のサイズで販売されており各サイズが固有の長さと幅を有することである。これは、製造業者および小売業者にとっては経済的であるが、消費者は最適なフィット性を得られないことを意味することが多い。フィット性が悪い履物製品は、多少の履き心地の悪さから重大な障害にわたる多数の悪影響を及ぼす可能性がある。本開示は、耐久性が高く、調整し易く、かつ履き心地の良い履物製品という形態の、履物のフィット性の問題に対する解決策に関する。
【００１６】
本開示の実施形態は、幅調整機能を有する履物製品を含み得る。より具体的には、本開示の実施形態は、所望のフィット性を得るためにその前方部分の幅を着用者が調整することを可能にする運動靴を含み得る。調整可能な靴はまた、たとえば靴の使用目的である活動に応じて調整の程度を変更するための機構を含み得る。
【００１７】
説明を簡潔かつ明確にするために、図１〜図７は履物製品の下側部分を示す。本明細書に記載の幅調整機構は、あらゆる多様な靴、ブーツ、スケート、またはその他の履物に組込むことができる。これらの製品は、上側部分は異なり得るが、一般的には、着用者の足に接触するように設計された概ね平坦な表面を含むという点において、ある程度良く似たソール設計を共有する。履物製品の上側部分は当該技術において周知であるので示されていないが、本開示に係るソールは、典型的な靴、ブーツ、スケート、またはその他周知の履物製品と同様の上側部分を含むことができそのように設計される。
【００１８】
いくつかの実施形態において、図１−１、図２−１、図１−２、および図２−２に示されるように、履物製品のためのソールアセンブリ１０は、上側ソール１２と下側ソール１４とを含み得る。幅の変更に対応するために、上側ソール１２に溝１６を設けてもよく、下側ソール１４に溝１８を設けてもよい。溝１６、１８により、ソールアセンブリ１２、１４を、履物の幅の調整時に拡大および収縮させることができる。溝１６、１８の形状は、靴の全体の輪郭を実質的に変化させることなくソールアセンブリ１０の幅寸法を拡大および縮小させることができるように、選択すればよい。ソールアセンブリ１０は、従来の履物と同様の材料および方法を用いて構成し得る。いくつかの実施形態において、上側ソールと下側ソールとは、履物製品の一体化された下側部分として共に成形されてもよく、または、一体ソールとして形成されてもよい。
【００１９】
図３Ａはソールアセンブリ１０の側面図を示し、図３Ｂは調整パドルハウジング２２の内側に収容された調整パドル２０の拡大図を示す。調整パドル２０は、上側ソール１２と下側ソール１４との間においてソールアセンブリ１０のアウトステップ側に配置してもよい。
【００２０】
図４−１および図４−２は、上側ソールおよび下側ソールを取除いて、幅調整アセンブリを形成する内部構成要素を上から見たものを示す。アンカー２４は、ソールアセンブリ１０の前方部分の、調整装置アンカー２６の反対側に位置する。作動ストラップ２８が、アンカー２４に接続され、ソールアセンブリ１０の長さに対して概ね垂直に延在している。図５は、ソールの下から見たときの、図４−１（図４−２と同様）の構成要素の外観を示す。この視点から、調整装置ハウジング３０が見える。図６において、調整アセンブリの内部構成要素を示すために調整装置ハウジング３０は取除かれている。送りねじ３２の一方の端部が調整パドル２０に接続され反対側の端部が端部軸受３４に接続されている。送りねじ３２が回転すると、ナット３６は、端部軸受３４に向かうまたは端部軸受３４から遠ざかる方向に、送りねじ３２に沿って直線的に進む。送りねじのピッチは、作動ストラップ２８の長さ方向の力によってナット３６の位置を回転させるまたは調整することがないように、選択すればよい。送りねじ３２に沿ったナット３６の移動がストラップ２８の移動または張力に変換されるように、作動ストラップ２８はナット３６に接続されている。
【００２１】
ナット３６および作動ストラップ２８が移動すると、アンカー２４は調整装置アンカー２６に向けて引張られる。アンカー２４は上側ソール１２および下側ソール１４に一体的に接続されているので、アンカー２４が調整装置アンカー２６に向かって移動すると、溝１６および溝１８は圧縮される。この圧縮により、ソールアセンブリ１０の前方部分は細くなる。上述のように、履物製品の前方部分を細くすることによって、着用者に対するフィット性および安定性を向上させることができる。図７Ａ−１、図７Ｂ−１、図７Ａ−２、および図７Ｂ−２は、調整装置の動作をさらに明確にするのに役立つ。
【００２２】
図７Ａ−１および図７Ａ−２は、最大幅の向きであるときのソールアセンブリ１０の断面図を示す。ソールアセンブリが最大幅の向きであるとき、ナット３６は端部軸受３４に最も近い位置にある。ナット３６および端部軸受３４の配置により、どちらの方向においてもナット３６が進み過ぎないようにすることができる。このようにして、この機構は、その調整範囲を自己規制することにより、信頼性を保ち詰まりや破損を防止することができる。ナットが端部軸受３４に最も近接した位置にあるとき、作動ストラップ２８に加わる張力のうちのすべてまたはほとんどを実質的に解放することができ、そうすることで、アンカー２４を調整装置アンカー２６から最も離れた位置にすることができる。この向きにおいて、溝１６および溝１８は実質的に圧縮されていない。
【００２３】
図７Ｂ−１および図７Ｂ−２は、幅が狭くされた向きであるときのソールアセンブリ１０の断面図を示す。この幅が狭くされた構成において、ナット３６を、図７Ａ−１および図７Ａ−２に示されるアンカー２４が幅が最も広い向きであるときよりも、端部軸受３４から離れた位置にすることができる。これにより、作動ストラップ２８に張力を加えることができ、アンカー２４を、図７Ａ−１および図７Ａ−２に示される幅が最も広い向きであるときよりも、調整装置アンカー２６により近い位置まで引張ることができる。この向きにおいて、溝１６および溝１８を、ソールアセンブリ１０したがって対応する履物製品の全体の幅が、図７Ａ−１および図７Ａー２に示される幅が最も広い向きと比べて小さくなるように、圧縮することができる。いくつかの実施形態において、送りねじとナットのアセンブリの代わりにまたはそれに加えて作動ストラップスプール機構が含まれていてもよい。
【００２４】
また、図７Ａ−１および図７Ａ−２は収容位置にあるときのパドル２０を示し、図７Ｂ−１および図７Ｂ−２は展開位置にあるときのパドル２０を示す。いくつかの実施形態において、パドル２０はパドル軸受３８を介して送りねじ３２に接続されてもよい。この構成により、パドル２０は、送りねじ３２を回転させることなく収容位置から展開位置まで移動することができる。図７Ａ−１および図７Ａ−２において、パドル２０は、パドルハウジング２２の内側の収容位置にあるものとして示されている。収容位置において、パドル２０が回転不能であることによって履物製品の幅が事実上固定されてもよい。これは着用者にとって有益であろう。なぜなら、履物製品の幅が不注意でまたは知らず知らずのうちに変化することがないからである。さらに、物に接触しただけでは幅の調整は生じない。パドル２０の収容位置は、この機構を損傷から守り、かつ、障害を引起し得るフィット性の予期せぬ変化から着用者を保護する。
【００２５】
図７Ｂ−１および図７Ｂ−２は展開位置にあるときのパドル２０を示す。いくつかの実施形態において、展開位置にあるときのパドル２０は、着用者によって回転させることができる。パドル２０は、パドルハウジング２２から外に向かって、履物製品のインステップ部分から実質的に遠ざかる方向に突出していてもよい。この配置により、着用者は、幅調整のために履物と同じ側の手を使用することができる。その他の配置および構成の場合、着用者が着用中に履物製品の幅を調整するためにパドル２０を持って楽に回転させることがより難しくなる可能性がある。
【００２６】
本開示に係るいくつかの実施形態において、幅調整アセンブリの構成要素の位置は、着用者の足によって生じる圧点と一致しないように選択すればよい。特に、足のかかとおよび指の付け根部分（ball）は、着用者の体重を支える領域となり得る。ソールのこれらの領域に構成要素を配置すると、着用者は不快に感じるであろう。ソールアセンブリ１０の場合、幅調整アセンブリの主な構成要素は、着用者の足の土踏まずと指の付け根部分との間の領域に相当するソールの部分に位置する。履物製品の前方部分のこの領域は一般的に、加わる体重が少ないので、着用者は履物製品の使用中に上記構成要素の存在を感じにくい。
【００２７】
快適性を高め得るソールアセンブリ１０のもう１つ設計要素は、上側ソール１２を載せる、概ね平坦な表面であってもよい。アンカー２４、調整装置アンカー２６、および作動ストラップ２８は、着用者が使用中に感知する可能性がある角または突起の存在を最小にするために、概ね平坦になるように設計すればよい。調整装置ハウジング３０と、調整装置アンカー２６の下にある、関連する構成要素との位置は、上側ソール１２を載せる概ね平坦な表面を保つのに役立つ。いくつかの実施形態において、これにより、上側ソール１２を概ね平坦にすることができ、使用中着用者の足を均等に支持することができる。さらに、作動ストラップ２８が平坦であることによっても、靴の柔軟性を維持して快適性を高めることができる。ソールが、特に着用者の足の長手方向軸を中心として屈曲すると、作動ストラップも、アンカー２４と調整装置アンカー２６との強固な接続を提供する機能を失うことなく、屈曲することができる。
【００２８】
本開示に従うと、パドル２０等の調整装置の位置も、履物製品の人間工学および耐久性という点において重要となり得る。調整装置は、パドル、ノブ、またはホイール等、当該技術において周知であるいくつかの種類のものであってもよく、調整のために工具が必要となるように設計されてもよい。いくつかの実施形態において、送りねじのピッチは、実質的に自動ロックであり軸方向の力がナットに作用してバックドライブが生じないように、選択する必要があるであろう。調整装置は、つま先領域ならびに足の指の付け根部分に近いインステップおよびアウトステップ部分等の、履物製品においてより発生し易い接触ポイントを避けるように位置決めすればよい。運動中、着用者は、意図してまたは意図せずして物または表面を蹴るまたは擦ることがある。加えて、状況によって、着用者の左の靴のインステップと右の靴のインステップとが接触する場合がある。パドル２０等の調整装置を、足の土踏まずと指の付け根部分との間のソールのアウトステップ部分に位置決めすることにより、接触を最小にすることができる。接触を最小にすることにより、パドルが偶発的に開くことまたは望ましくない機構調整の発生を減じつつ、耐用寿命を延ばすことができる。
【００２９】
本開示に係るいくつかの実施形態において、着色表示器または数値表示器等の何らかの形態の表示器を使用して、着用者がこの機構の幅設定を観察できるようにしてもよい。このようなシステムは、位置表示用の当該技術では周知のどのようなタイプのものであってもよく、それによって着用者は簡単に調整を繰返すことができる。いくつかの実施形態は、下側ソールの溝の中または周りに施された彩色または印によって、着用者が使用前または使用中にこの機構による幅の設定を視覚的に評価できるようにしてもよい。
【００３０】
可能ないくつかの実施形態を開示したが、本発明の実施形態はそれに限定される訳ではない。たとえば、可能ないくつかの構成を開示しているが、その他の適切な機構構成および設計を、本開示の実施形態の精神から逸脱することなく選択できる。加えて、本発明の実施形態のさまざまな特徴に対して使用される位置および構成は、たとえば、サイズ、必要な機能、着用者の好み、またはコストを考慮して変更を必要とする特定の履物製品に応じて変更してもよい。本開示に係る幅調整機能の変形は、限定される訳ではないが、運動靴、ローラースケート、スキーのビンディング、およびブーツを含む所望の任意の履物製品に組込んでもよい。このような変更は本発明の範囲に包含されることを意図している。
【００３１】
開示されている幅調整機能を有する製品は、当該技術において周知のその他の調整機能も含み得る。このような製品も意図されており、その他の調整機能を提供することによって着用者を支援する場合もある。本開示の範囲から逸脱することなく、その他の特徴を開示されている機構と組合わせてもよい。
【００３２】
さまざまな要素の特定の構成、材料の選択、ならびにサイズおよび形状は、本発明の原理に従って構成される装置、システム、または方法を必要とする特定の設計の仕様または制約条件に応じて変更することができる。このような変更は本発明の範囲に包含されることを意図している。ここに開示されている実施形態はしたがってすべての点において限定ではなく例示とみなされる。本発明の範囲は、上記説明ではなく下記請求項によって示され、その均等物の意味および範囲に含まれるすべての変更はそこに包含されることを意図している。
【図１−１】
2019500159.tif 000003
【図１−２】
2019500159.tif 000004
【図２−１】
2019500159.tif 000005
【図２−２】
2019500159.tif 000006
【図３Ａ】
2019500159.tif 000007
【図３Ｂ】
2019500159.tif 000008
【図４−１】
2019500159.tif 000009
【図４−２】
2019500159.tif 000010
【図５】
2019500159.tif 000011
【図６】
2019500159.tif 000012
【図７Ａ−１】
2019500159.tif 000013
【図７Ａ−２】
2019500159.tif 000014
【図７Ｂ−１】
2019500159.tif 000015
【図７Ｂ−２】
2019500159.tif 000016
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
履物製品であって、
複数の溝を含むソールと、
幅調整アセンブリとを備え、
前記幅調整アセンブリは、
送りねじと、
前記送りねじに接続されており着用者が前記履物製品の外側からアクセス可能な調整装置と、
前記送りねじに接続されており前記送りねじの回転に応じて移動可能な作動ストラップと、
前記作動ストラップに接続されたアンカープレートとを含み、
前記調整装置が回転することにより前記送りねじが回転し、前記送りねじが回転することにより前記作動ストラップ内の張力および／または圧縮力が変化する、履物製品。
【請求項２】
前記ソールは上側ソールと下側ソールとをさらに含み、前記幅調整アセンブリは前記上側ソールの部分と前記下側ソールの部分との間に位置する、請求項１に記載の履物製品。
【請求項３】
前記幅調整アセンブリは、前記履物製品に沿う、着用者の足の前方部分に対応する位置に概ね位置する、請求項１に記載の履物製品。
【請求項４】
前記幅調整アセンブリは調整パドルハウジングをさらに含む、請求項１に記載の履物製品。
【請求項５】
前記調整装置は、収容位置と展開位置とを有する調整パドルを含み、前記調整パドルは、前記収容位置において前記調整パドルハウジング内にあり、前記展開位置において前記調整パドルハウジングから突出している、請求項４に記載の履物製品。
【請求項６】
前記調整パドルは、前記展開位置において回転可能であり、前記収容位置において回転不能である、請求項５に記載の履物製品。
【請求項７】
前記アンカープレートは前記履物製品のインステップ部分に位置し、前記調整装置は前記履物製品のアウトステップ部分に位置する、請求項１に記載の履物製品。
【請求項８】
前記送りねじが第１の方向に回転すると、前記作動ストラップは前記アンカープレートを前記履物製品の前記アウトステップ部分に向けて移動させ、前記送りねじが第２の方向に回転すると、前記作動ストラップは前記アンカープレートを前記履物製品の前記アウトステップ部分から遠ざかるように移動させる、請求項７に記載の履物製品。
【請求項９】
前記アンカープレートが前記アウトステップ部分に向かって移動することにより、前記１つ以上の溝は圧縮され、前記アンカープレートが前記アウトステップ部分から遠ざかるように移動することにより、前記１つ以上の溝は拡大される、請求項８に記載の履物製品。
【請求項１０】
前記作動ストラップはナットを介して前記送りねじに接続されており、前記ナットは前記作動ストラップに装着されかつ前記送りねじに通されている、請求項１に記載の履物製品。
【請求項１１】
運動靴であって、
第１の複数の溝を含む下側ソールと、
第２の複数の溝を含む上側ソールと、
幅調整アセンブリとを備え、
前記幅調整アセンブリは、
送りねじと、
前記送りねじに接続されており着用者が前記運動靴の外側からアクセス可能な調整パドルと、
前記送りねじに接続されており前記送りねじの回転に応じて移動可能な作動ストラップと、
前記作動ストラップに接続されたアンカープレートとを含み、
前記調整パドルが回転することにより前記送りねじが回転し、前記送りねじが第１の方向に回転することにより前記作動ストラップにおける張力が増して前記第１および第２の複数の溝を圧縮する、運動靴。
【請求項１２】
前記幅調整アセンブリは前記上側ソールの部分と前記下側ソールの部分との間に位置する、請求項１１に記載の運動靴。
【請求項１３】
前記幅調整アセンブリは、前記運動靴に沿う、着用者の足の前方部分に対応する位置に概ね位置する、請求項１１に記載の運動靴。
【請求項１４】
前記幅調整アセンブリは調整パドルハウジングをさらに含む、請求項１１に記載の運動靴。
【請求項１５】
前記調整パドルは収容位置と展開位置とを有し、前記調整パドルは、前記収容位置において前記調整パドルハウジング内にあり、前記展開位置において前記調整パドルハウジングから突出している、請求項１４に記載の運動靴。
【請求項１６】
前記調整パドルは、前記展開位置において回転可能であり、前記収容位置において回転不能である、請求項１５に記載の運動靴。
【請求項１７】
前記アンカープレートは前記運動靴のインステップ部分に位置し、前記調整パドルは前記運動靴のアウトステップ部分に位置する、請求項１１に記載の運動靴。
【請求項１８】
前記送りねじが前記第１の方向に回転すると、前記作動ストラップは前記アンカープレートを前記運動靴の前記アウトステップ部分に向けて移動させる、請求項１７に記載の運動靴。
【請求項１９】
前記作動ストラップはナットを介して前記送りねじに接続されており、前記ナットは前記作動ストラップに装着されかつ前記送りねじに通されている、請求項１１に記載の運動靴。
【国際調査報告】
2019500159.tif 000017